(57)【要約】【課題】  行先階の乗場の映像が確認できるため、かごに乗り込む前に行先階に不審者がいるかどうか確認でき、犯罪を未然に防止できるエレベータの防犯装置を得る。【解決手段】  所定階の乗場に設置され、行先階を登録するための乗場行先釦１と、この乗場行先釦１の近傍に設置されたモニタ５と、各階の乗場に設置されたカメラ３と、乗場行先釦１で登録された行先階のカメラ３からの映像を選択してモニタ５に表示する映像選択手段４とを備える。【選択図】        図１
2005330033.tif 000002
【特許請求の範囲】
【請求項１】
所定階の乗場に設置され、行先階を登録するための乗場行先釦と、該乗場行先釦の近傍に設置されたモニタと、各階の乗場に設置されたカメラと、上記乗場行先釦で登録された行先階の上記カメラからの映像を選択して上記モニタに表示する映像選択手段とを備えたことを特徴とするエレベータの防犯装置。
【請求項２】
上記映像選択手段で選択された映像に基づいて乗場にいる人数を検出する人数検出手段と、該人数検出手段が所定数以上の人数を検出した場合に乗客に対して注意を促すメッセージを発生する警報発生手段とを備えたことを特徴とする請求項１記載のエレベータの防犯装置。
【発明の詳細な説明】
【技術分野】
【０００１】
この発明は、エレベータの防犯装置に関するものである。
【背景技術】
【０００２】
従来、エレベータの防犯装置として、各階床の乗場にカメラを設け、かご内で指示した乗場のカメラの映像をかご内のモニタに表示するエレベータの防犯装置や、各階床の乗場にカメラを設け、かごが停止する階床の乗場のカメラの映像をかご内のモニタに表示するものがあり（例えば、特許文献１および２参照）、また、エレベータの乗場待ち客やかご内の人数を検出する人数検出装置として、画像入力手段で入力した画像と背景画像とを比較して抽出するものがある（例えば、特許文献３参照）。
【０００３】
【特許文献１】特公平１１−１３０３５４号公報
【特許文献２】特開昭５８−１４４０８０号公報
【特許文献３】特開平１０−３１２４４８号公報
【発明の開示】
【発明が解決しようとする課題】
【０００４】
しかしながら、上記特許文献１、２に記載されているような従来のエレベータの防犯装置の場合には、行先階の映像をかご内で確認しているため、かごに乗り込む前に行先階に不審者がいるかどうか確認できないという問題点があった。
【０００５】
この発明は、上記のような課題を解決するためになされたもので、かごに乗り込む前に乗場で行先階の映像を確認でき、また、乗場に人がいることを見逃すことなく確実に検出できる防犯精度の優れたエレベータの防犯装置を得ることを目的とする。
【課題を解決するための手段】
【０００６】
この発明に係るエレベータの防犯装置は、所定階の乗場に設置され、行先階を登録するための乗場行先釦と、この乗場行先釦の近傍に設置されたモニタと、各階の乗場に設置されたカメラと、乗場行先釦で登録された行先階のカメラからの映像を選択してモニタに表示する映像選択手段とを備えたものである。
【発明の効果】
【０００７】
この発明は、乗場の行先釦を操作したときに、行先階の乗場の映像が確認できるため、かごに乗り込む前に行先階に不審者がいるかどうか確認でき、犯罪を未然に防止できる。
【発明を実施するための最良の形態】
【０００８】
以下、この発明の一実施の形態を、図１〜図７を参照して説明する。
実施の形態１．
図１は、この発明の実施の形態１によるエレベータの防犯装置を示す構成図である。
図１において、建物の乗場に乗場行先釦１が設置され、この乗場行先釦１はエレベータの制御を行うエレベータ制御手段２に電気的に接続される。また、各階の乗場にカメラ３が設置され、このカメラ３は映像選択手段４の入力側に接続される。また、この映像選択手段４の入力側にはエレベータ制御手段２が接続され、映像選択手段４の出力側はモニタ５に接続され、乗場行先釦１で呼びが登録された階のカメラ３の映像を選択し、その選択された映像をモニタ５で表示するようになされている。
【０００９】
図２は、この発明の実施の形態１によるエレベータの防犯装置が設置される建物の側断面図である。
図２において、エレベータの防犯装置が設置される建物６内には、その最上階に設置されている巻上機７にロープを介して懸架されたエレベータのかご８が設けられ、また、乗場行先釦１が設置されない乗場に通常の乗場釦９が設けられ、ここでは、一例として、２階〜５階にそれぞれ対応して乗場釦９ａ〜９ｄが設けられている。さらに、最下階、ここでは１階に、乗場行先釦１とモニタ５が設置されている乗場行先操作盤１０が設けられる。この乗場行先操作盤１０に設置される乗場行先釦は、図３に示すように、各階に対応するように、つまり、この場合２階〜５階にそれぞれ対応するように乗場行先釦１ａ〜１ｄが設けられている。
【００１０】
次に、動作について、図４を参照して説明する。
先ず、ステップＳ１において、乗場行先釦１が操作されたか否かの判別を繰り返し、乗場行先釦１が操作された場合はステップＳ２へ進む。ステップＳ２では、乗場行先釦設置階に乗場呼びを登録する。次に、ステップＳ３において、登録された行先階が複数か否かを判別し、複数でない場合はステップＳ４に進み、複数である場合はステップＳ５に進む。ステップＳ４では行先階のカメラ映像を選択し、モニタ５に表示する。ステップＳ５では登録されている複数の行先階のカメラ映像を切換えながらモニタ５に表示する。
次いで、ステップＳ６において、かごが乗場呼びに応答し戸開後、戸閉したか否かを判別し、戸閉したときステップＳ７に進み、そうでない場合はステップＳ３に戻って上述の動作を繰り返す。ステップＳ７では、モニタ５に対するカメラ映像の表示を停止して一連の動作を終了する。
【００１１】
なお、上記の実施の実施の形態において、カメラおよびモニタは任意のものでよくその種類を問わず、また、その映像についても、静止画、動画のいずれをも問わない。また、タッチパネルディスプレイを用いた乗場行先釦の場合にも同様に適用可能である。
【００１２】
以上のように、この実施の形態１によれば、乗場の行先釦を操作したときに、登録された行先階の乗場の映像がモニタで表示されるため、かごに乗り込む前に行先階に不審者がいるかどうか容易に確認でき、犯罪を未然に防止できる。
【００１３】
実施の形態２．
図５は、この発明の実施の形態２によるエレベータの防犯装置を示す構成図であり、図６はこの発明の実施の形態１によるエレベータの防犯装置が設置される建物の側断面図である。なお、図５、図６において、それぞれ図１、図２と対応する部分には同一符号を付し、その詳細説明を省略する。
図５、図６において、映像選択手段４が選択した映像をもとに乗場にいる人数を検出する人数検出手段１１と、この人数検出手段１１が１人以上を検出した場合に乗客に対して注意を促すメッセージを発生する警報発生手段１２が設けられる。その他の構成は、図１、図２の場合と同様である。
【００１４】
次に、動作について、図７を参照して説明する。
先ず、ステップＳ１１において、乗場行先釦１が操作されたか否かの判別を繰り返し、乗場行先釦１が操作された場合はステップＳ１２へ進む。ステップＳ１２では、乗場行先釦設置階に乗場呼びを登録する。次に、ステップＳ１３において、登録された行先階が複数か否かを判別し、複数でない場合はステップＳ１４に進み、複数である場合はステップＳ１５に進む。ステップＳ１４では行先階のカメラ映像を選択しモニタ５に表示する。ステップＳ１５では登録されている複数の行先階のカメラ映像を切換えながらモニタ５に表示する。
【００１５】
次いで、ステップＳ１６において、人数検出手段１１でカメラ映像から乗場にいる１人以上の人数を検出したかどうかを判別し、一人以上の人数を検出した場合は、ステップＳ１７に進み、検出しない場合は、ステップＳ１８に進む。ステップＳ１７では、乗客に注意を促すメッセージを警報発生手段１２から流す。
ステップＳ１８では、かごが乗場呼びに応答し戸開後、戸閉したか否かを判別し、戸閉したときステップＳ１９に進み、そうでない場合はステップＳ１３に戻って上述の動作を繰り返す。ステップＳ１９では、モニタ５に対するカメラ映像の表示を停止する。
次いで、ステップＳ２０において、注意を促すメッセージを流しているか否かを判別し、注意を促すメッセージを流しているときは、ステップＳ２１において、警報発生手段１２からのメッセージを停止して一連の動作を終了し、注意を促すメッセージを流していない場合は、そのまま終了する。
【００１６】
なお、上記の実施の実施の形態において、警告音、音声、モニタ上に表示する文字情報など乗客に注意を促すメッセージは、その種類は問わず、いずれでもよい。
【００１７】
以上のように、この実施の形態２においても、上記実施の形態１と同様の効果が得られると共に、さらに、本実施の形態では、カメラ映像をもとに乗場にいる人数を検出し、乗場に人がいることを検出した場合、警報を発し乗客に注意を促すので、乗場に人がいることを見落としてしまうことを防止でき、より精度の高い防犯が可能になる。
【図面の簡単な説明】
【００１８】
【図１】この発明の実施の形態１によるエレベータの防犯装置の構成を示すブロック図である。
【図２】この発明の実施の形態１によるエレベータの防犯装置を建物に配置した状態を示す側断面図である。
【図３】この発明の実施の形態１によるエレベータの防犯装置の乗場行先操作盤を示す正面図である。
【図４】この発明の実施の形態１によるエレベータの防犯装置の動作を説明するためのフローチャートである。
【図５】この発明の実施の形態２によるエレベータの防犯装置の構成を示すブロック図である。
【図６】この発明の実施の形態２によるエレベータの防犯装置を建物に配置した状態を示す側断面図である。
【図７】この発明の実施の形態２によるエレベータの防犯装置の動作を説明するためのフローチャートである。
【符号の説明】
【００１９】
１    乗場行先釦、２    エレベータ制御手段、３    カメラ、４    映像選択手段、５    モニタ、８    エレベータのかご、１０  乗場行先操作盤、１１  人数検出手段、１２  警報発生手段。
【図１】
2005330033.tif 000003
【図２】
2005330033.tif 000004
【図３】
2005330033.tif 000005
【図４】
2005330033.tif 000006
【図５】
2005330033.tif 000007
【図６】
2005330033.tif 000008
【図７】
2005330033.tif 000009